(57)【要約】【課題】容器に突起状部分がなく美観に優れ、振り出す方向性がなく開口操作が容易で、振出し性や密封性が良好な円筒型タブレット容器を提供する。【解決手段】容器本体に装着するキャップを回転させて振出り口を開口する円筒型タブレット容器であり、容器本体は、上方から口部周壁と継続部周壁と胴部周壁と環状底壁とからなり、環状底壁内周縁に上端に封止天壁をもつ内周壁筒を立設して、胴部周壁と環状底壁と内周壁筒によりタブレット収納室を形成し、口部周壁の左右側面の所定位置に摺動導溝を対応させて設け、左右側面の摺動導溝の所定位置に停止突起と乗越可能突起を設け、右側面の前方位置と左側面の後方位置の所定位置に、縦の組付導溝を設け、キャップは、周壁の上端に容器本体の封止天壁に対応する位置にタブレット振出し口をもつドーム状天壁を設け、周壁内周面の容器本体の右左側面の摺動導溝に対応する位置に摺動突起を設ける。【選択図】図１
2008001392.tif 000002
【特許請求の範囲】
【請求項１】
使用するときに、容器本体に装着するキャップを回転させて、キャップの振出り口を開口する円筒型タブレット容器であって、前記容器本体は、胴部周壁の上端に胴部周壁より小径の口部周壁を、上方が漸次小径となる継続部周壁を介して連設し、胴部周壁の下端内側に環状底壁を設け、環状底壁内周縁に前記キャップの振出し口に至る上端に封止天壁をもつ内周壁筒を立設して、周壁と環状底壁と内周壁筒によるタブレット収納室を形成し、かつ、前記口部周壁の上端部外周に中心軸保持突条を、右側面は後方から前方に、左側面は前方から後方に周方向の所定位置にそれぞれ対応させて設け、前記右側面の中心軸保持突条の右側後方下端から口部周壁の前方下端に傾斜させて上ガイド突条と下ガイド突条とを所定間隔で並行に設けて摺動導溝を形成し、前記左側面の中心軸保持突条の右側前方上端から口部周壁の後方下端に傾斜させて上ガイド突条と下ガイド突条とを所定間隔で並行に設けて摺動導溝を形成し、前記右側面の摺動導溝の後方上端部に上方停止突起とその所定下方位置に上方乗越可能突起を設け、前方下端に下方停止突起を設け、その所定上方位置に下方乗越可能突起を設け、前記左側面の摺動導溝の前方上端部に上方停止突起とその所定下方位置に上方乗越可能突起を設け、後方下端に下方停止突起を設け、その所定上方位置に下方乗越可能突起を設け、前記右側面の摺動導溝の下方乗越可能突起及び下方停止突起のそれぞれの上方位置に、上ガイド突条から中心軸保持突条の端部に至る縦の突条を設けて組付導溝を設け、前記左側面の摺動導溝の下方乗越可能突起及び下方停止突起のそれぞれの上方位置に、上ガイド突条から中心軸保持突条の端部に至る縦の突条を設けて組付導溝を設け、前記タブレット収納室は、タブレットを収納するときに、タブレットの大きさ以下の隙間を一カ所設けてタブレットを周方向へ一列に収納するように設け、前記キャップは、周壁の上端に容器本体の封止天壁に対応する位置にタブレット振出し口をもつドーム状天壁を連接し、かつ、前記容器本体の右側面及び左側面の摺動導溝の下方乗越可能突起と下方停止突起間に対応する周壁内周面のそれぞれの位置に、所定形状の摺動突起を設けたことを特徴とする円筒型タブレット容器。
【発明の詳細な説明】
【技術分野】
【０００１】
本発明は、菓子や医薬品などのタブレットを入れる容器で、特に、球面形状の糖衣のものの振出し性や密封性及び携帯性が良好な円筒型タブレット容器に関するものである。
【背景技術】
【０００２】
従来、タブレット容器としては、各種の形態のものが使用されていたが、例えば、容器本体の上方開口部に、小蓋がヒンジを介して開閉可能にキャップ本体に接続する小蓋付キャップを装着したものが、使用しやすいために、広く使用されていた。
【発明の開示】
【発明が解決しようとする課題】
【０００３】
しかしながら、上述した従来のタブレット容器は、小蓋の前方の開閉用鍔や後方の接続部分が突起状になるため、流通過程や使用するときに邪魔になったり、店頭に展示されたときに、商品としての美観を損なうことなどがあった。また、使用するときに、小蓋の開く方向に容器を持ち直す必要があったり、振出し口でタブレットどうしが干渉し合って振り出しにくいことなどがあった。
【０００４】
本発明は、上述の従来のタブレット容器の問題点を解決したものであり、容器に突起状部分がなく、商品としての美観に優れ、使用するときに、容器の振り出す方向性がなく、容器の開口操作が容易で、振出し口でタブレットが干渉し合うことがなく、密封性が良好な円筒型タブレット容器を提供するものである。
【課題を解決するための手段】
【０００５】
すなわち、本発明は、使用するときに、容器本体に装着するキャップを回転させて、キャップの振出り口を開口する円筒型タブレット容器であって、前記容器本体は、胴部周壁の上端に胴部周壁より小径の口部周壁を、上方が漸次小径となる継続部周壁を介して連設し、胴部周壁の下端内側に環状底壁を設け、環状底壁内周縁に前記キャップの振出し口に至る上端に封止天壁をもつ内周壁筒を立設して、周壁と環状底壁と内周壁筒によるタブレット収納室を形成し、かつ、前記口部周壁の上端部外周に中心軸保持突条を、右側面は後方から前方に、左側面は前方から後方に周方向の所定位置にそれぞれ対応させて設け、前記右側面の中心軸保持突条の右側後方下端から口部周壁の前方下端に傾斜させて上ガイド突条と下ガイド突条とを所定間隔で並行に設けて摺動導溝を形成し、前記左側面の中心軸保持突条の右側前方上端から口部周壁の後方下端に傾斜させて上ガイド突条と下ガイド突条とを所定間隔で並行に設けて摺動導溝を形成し、前記右側面の摺動導溝の後方上端部に上方停止突起とその所定下方位置に上方乗越可能突起を設け、前方下端に下方停止突起を設け、その所定上方位置に下方乗越可能突起を設け、前記左側面の摺動導溝の前方上端部に上方停止突起とその所定下方位置に上方乗越可能突起を設け、後方下端に下方停止突起を設け、その所定上方位置に下方乗越可能突起を設け、前記右側面の摺動導溝の下方乗越可能突起及び下方停止突起のそれぞれの上方位置に、上ガイド突条から中心軸保持突条の端部に至る縦の突条を設けて組付導溝を設け、前記左側面の摺動導溝の下方乗越可能突起及び下方停止突起のそれぞれの上方位置に、上ガイド突条から中心軸保持突条の端部に至る縦の突条を設けて組付導溝を設け、前記タブレット収納室は、タブレットを収納するときに、タブレットの大きさ以下の隙間を一カ所設けてタブレットを周方向へ一列に収納するように設け、前記キャップは、周壁の上端に容器本体の封止天壁に対応する位置にタブレット振出し口をもつドーム状天壁を連接し、かつ、前記容器本体の右側面及び左側面の摺動導溝の下方乗越可能突起と下方停止突起間に対応する周壁内周面のそれぞれの位置に、所定形状の摺動突起を設けたことを特徴とする円筒型タブレット容器である。
【発明の効果】
【０００６】
本発明の円筒型タブレット容器は、容器本体にキャップを装着すると、キャップのドーム状天壁に設けられたタブレット振出し口が、容器本体の内周壁筒の上端の封止天壁により封止されるものであり、キャップの外周面には、従来の小蓋付キャップのような突起状部分がないため、流通過程や使用するときに邪魔になったり、店頭に展示されたときに、商品としての美観を損なうことなどがない。
【０００７】
また、本発明の円筒型タブレット容器は、従来の小蓋付キャップを装着する容器のように、タブレットを振り出す方向に方向性がないため、使用するときに、容器を持ち直す必要がない。また、容器の振出し口の開口は、キャップを回転するだけでよく、容器の開口操作が容易で、使い易い容器である。
【０００８】
また、本発明の円筒型タブレット容器は、タブレット収納室に、タブレットが、タブレットの大きさ以下の隙間を一カ所設けて、周方向へ一列に収納されているため、タブレットが動き易く、また、開口した振出し口の下方内側に、上端に封止天壁をもつ内周壁筒を立設しているため、振出し口でタブレットが干渉し合うことがなく、振り出し易い。
【０００９】
また、本発明の円筒型タブレット容器は、容器本体にキャップを装着すると、キャップの振出し口は、容器本体の内周壁の上端の封止天壁で封止され、また、容器本体の口部周壁の内周面に、キャップのドーム状天壁の下面に垂設されたインナー封止リングの外周面が密接するため、容器の密封性が良好である。
【発明を実施するための最良の形態】
【００１０】
次に、本発明の一実施形態の円筒型タブレット容器について、図を用いて詳細に説明する。
【００１１】
本実施形態の円筒型タブレット容器（１０）は、図１に示すように、円筒状の容器本体（１００）とドーム状天壁（２２０）をもつキャップ（２００）とからなり、使用するときに、容器本体に装着するキャップを左回転させて上昇させて、キャップの振出り口（２２１）を開口し、そのまま容器を下方へ傾斜させて、収納するタブレット（２０）を振り出すものである。容器本体とキャップは、それぞれ使用目的に合った適度の剛性をもつ着色、半透明又は透明な熱可塑性樹脂成形材料、通常ではポリプロピレンやポリエチレンなどを用いて、射出成形法により作製するものである。
【００１２】
本実施形態の容器本体（１００）の構造は、図１及び図７に示すように、胴部周壁（１１０）の上端上方に、胴部周壁より小径の口部周壁（１３０）を、上方が漸次小径となる継続部周壁（１２０）を設けて連設し、胴部周壁の下端の内側に、環状底壁（１４０）を連設し、この環状底壁内周縁に、装着するキャップの振出し口を封止する封止天壁（１６０）を上端にもつ内周壁筒（１５０）を立設して、周壁と環状底壁と内周壁筒によるタブレット収納室（１８０）を形成するものである。このタブレット収納室（１８０）は、図２に示すように、タブレット（２０）を収納したときに、タブレットの大きさ以下の隙間（１８１）を一カ所設けてタブレットを周方向へ一列に収納するように設けるものである。そして、口部周壁（１３０）の上端部外周に、図３に示すように、容器本体の中心軸とキャップの中心軸を合わせる中心軸保持突条（１３１ｂ，１３１ａは図示せず）を、右側面は後方から前方に、左側面は前方から後方に周方向の所定位置にそれぞれ対応させて設け、右側面の中心軸保持突条（１３１ｂ）の右側後方下端から口部周壁（１３０）の前方下端に傾斜させて上ガイド突条（１３２ｂ）と下ガイド突条（１３３ｂ）とを所定間隔で並行に設けて摺動導溝（１３４ｂ）を形成し、同様に、左側面の中心軸保持突条（１３１ａ図示せず）の右側前方上端から口部周壁の後方下端に傾斜させて上ガイド突条（１３２
ａ図示せず）と下ガイド突条（１３３ａ図示せず）とを所定間隔で並行に設けて摺動導溝（１３４ａ図示せず）を形成し、右側面の摺動導溝（１３４ｂ）の後方上端部に上方停止突起（１３５ｂ）とその所定下方位置に上方乗越可能突起（１３６ｂ）を設け、前方下端に下方停止突起（１３７ｂ）を設け、その所定上方位置に下方乗越可能突起（１３８ｂ）を設け、同様に、左側面の摺動導溝（１３４ａ図示せず）の前方上端部に上方停止突起（１３５ａ図示せず）とその所定下方位置に上方乗越可能突起（１３６ａ図示せず）を設け、後方下端に下方停止突起（１３７ａ図示せず）を設け、その所定上方位置に下方乗越可能突起（１３８ａ図示せず）を設け、右側面の摺動導溝（１３４ｂ）の下方乗越可能突起（１３８ｂ）及び下方停止突起（１３７ｂ）のそれぞれの上方位置に、上ガイド突条から中心軸保持突条（１３１ｂ）の端部に至る縦の突条を設けて組付導溝（１３９ｂ）を設け、同様に、左側面の摺動導溝（１３４ａ図示せず）の下方乗越可能突起（１３８ａ図示せず）及び下方停止突起（１３７ａ図示せず）のそれぞれの上方位置に、上ガイド突条から中心軸保持突条（１３１ａ図示せず）の端部に至る縦の突条を設けて組付導溝（１３９ａ図示せず）を設けるものである。なお、容器本体は、射出成形法で作製されるため、図１に示すように、内周壁筒（１５０）の上端の封止天壁（１６０）の下面中央位置から金型のゲート位置（Ｇ）まで溶融樹脂導入路（１７０）を形成するものである。
【００１３】
次に、本実施形態のキャップ（２００）の構造は、図１及び図８に示すように、容器本体（１００）の胴部周壁（１１０）とほぼ同じ外径の円筒状の周壁（２１０）の上端に、装着する容器本体の封止天壁（１６０）に対応する位置にタブレットの振出し口（２２１）をもつドーム状天壁（２２０）を連設するものである。そして、図６（ａ）及び（ｂ）又は図８に示すように、容器本体（１００）の右側面及び左側面の摺動導溝（１３４ｂ，１３４ａ）の下方乗越可能突起（１３８ｂ，１３８ａ）と下方停止突起（１３７ｂ，１３７ｂ）間に対応する周壁内周面のそれぞれの位置に、所定形状の摺動突起（２１２ｂ，２１２ａ）を設けるものである。また、使用するときにキャップを回転し易くするために、図１及び図６（ａ）に示すように、キャップ（２００）の周壁（２１０）の下方外周に、縦のローレット目（２１１）を設けることが好ましい。また、容器本体の密封性を良好にするために、キャップが最下降位置で振出し口が封止されているときには、図５（ａ）に示すように、キャップ（２００）のインナー封止リング（２２２）の外周面が、容器本体の口部周壁（１３０）の内周面に密着し、使用するときにキャップの開けトルクを小さくするために、キャップが最上昇位置で振出し口が全開口されているときには、図５（ｂ）に示すように、キャップのインナー封止リング（２２２）の外周面と容器本体の口部周壁（１３０）の内周面間に隙間（例えば、０．１４５ｍｍ程度）ができるように、キャップのインナー封止リングの外周面に、下端が上方より漸次縮径となる勾配（例えば、０．５°程度）を設けるものである。また、インナー封止リングの長さは、キャップが最上昇位置にあるときに、インナー封止リングが容器本体の口部周壁の内周面に被さるように長く作製するものである。このようにすると、タブレットをキャップの振出し口から振り出すときに、タブレットがインナー封止リングにより振出し口へスムーズにガイドされるため、タブレットを振出し口から良好に振り出すことができる。
【００１４】
次に、本実施形態のキャップの容器本体への組み付けは、図３に示す容器本体の口部周壁（１３０）に設けられた右側及び左側の組付導溝（１３９ｂ，１３９ａ図示せず）に、図８に示すキャップ（２００）の周壁（２１０）内周面に設けられた右側及び左側の摺動突起（２１２ｂ，２１２ａ）を合わせて押し込んで、キャップの右側及び左側の摺動突起を、図３に示す容器本体の右側及び左側の下方乗越可能突起（１３８ｂ，１３８ａ図示せず）と下方停止突起（１３７ｂ，１３７ａ図示せず）間の摺動導溝（１３４ｂ，１３４ａ図示せず）に挿着して、キャップを容器本体に装着するものである。
【００１５】
次に、本実施形態の容器本体の摺動導溝とキャップの摺動突起との係合状態について説明する。図４の右側に図示するように、キャップ（２００）のドーム状天壁（２２０）の
振出し口（２２１）が、容器本体（１００）の内周壁筒（１５０）の上端の封止天壁（１６０）で完封しているときは、キャップは最下降位置にあり、図６（ａ）に示すように、キャップ（２００）の右側及び左側の摺動突起（２１２ｂ，２１２ａ）は、容器本体（１００）の右側及び左側の下方停止突起（１３７ｂ，１３７ａ）と下方乗越可能突起（１３８ｂ，１３８ａ）の間にそれぞれ位置している。振出し口を開口するため、キャップを左側へ回転すると、図６（ｂ）に示すように、キャップ（２００）の右側及び左側の摺動突起（２１２ｂ，２１２ｂ）が右側及び左側の摺動導溝（１３４ｂ，１３４ａ）をそれぞれ摺動し、摺動突起はそれぞれ下方乗越可能突起（１３６ｂ，１３６ａ）を乗り越え、中心角度６０°回転したところで、容器本体（１００）の右側及び左側の摺動導溝（１３４ｂ，１３４ａ）の上方停止突起（１３５，１３５ａ）により停止する。このとき、キャップ（２００）は、図４の左側に示すように、最上昇位置にあり、振出し口（２２１）が全開口する。なお、図６（ａ）及び（ｂ）に示すように、キャップ（２００）の右側及び左側の摺動突起（２１２ｂ，２１２ａ）は、中心角度で３０°の長さである。
【図面の簡単な説明】
【００１６】
【図１】本発明の一実施形態の円筒型タブレット容器の構造を示す断面図である。
【図２】図１の円筒型タブレット容器の容器本体の環状タブレット収納部に収納されたタブレットの状態を示す説明図である。
【図３】図１の円筒型タブレット容器の容器本体の口部周壁の右側面図である。
【図４】図１の円筒型タブレット容器の完封時と全開口時における容器本体とキャップの状態を示す説明図である。
【図５】（ａ）は、図４のＢ部分の拡大図であり、（ｂ）は、Ｃ部分の拡大図である。
【図６】容器本体の口部周壁の上ガイド突条と下ガイド突条間の摺動導溝とキャップの周壁内周の摺動ガイド突起との係合状態を示す説明図であり、（ａ）は、振出し口が完封したときであり、（ｂ）は、振出し口が全開口したときである。
【図７】図１のＡ部分の拡大図である。
【図８】図１のキャップの底面図である。
【符号の説明】
【００１７】
１０……円筒型タブレット容器
２０……タブレット
１００……容器本体
１１０……胴部周壁
１２０……継続部周壁
１３０……口部周壁
１３１ｂ，１３１ａ……中心軸保持突条
１３２ｂ，１３２ａ……上ガイド突条
１３３ｂ，１３３ａ……下ガイド突条
１３４ｂ，１３４ａ……摺動導溝
１３５ｂ，１３５ａ……上方停止突起
１３６ｂ，１３６ａ……上方乗越可能突起
１３７ｂ，１３７ａ……下方停止突起
１３８ｂ，１３８ａ……下方乗越可能突起
１３９ｂ，１３９ａ……組付導溝
１４０……環状底壁
１５０……内周壁筒
１６０……封止天壁
１７０……溶融樹脂導入路
１８０……タブレット収納室
１８１……隙間
２００……キャップ
２１０……周壁
２１１……ローレット目
２１２……摺動突起
２２０……ドーム状天壁
２２１……振出し口
２２２……インナー封止リング
Ｇ……ゲート位置
【図１】
2008001392.tif 000003
【図２】
2008001392.tif 000004
【図３】
2008001392.tif 000005
【図４】
2008001392.tif 000006
【図５】
2008001392.tif 000007
【図６】
2008001392.tif 000008
【図７】
2008001392.tif 000009
【図８】
2008001392.tif 000010